(57)【要約】  紙葉類計数装置（１０）は、紙葉類の計数を行う識別計数部（２４）と、識別計数部（２４）により計数が行われた紙葉類が集積され、前面に開口が設けられた集積部（２６）と、集積部（２６）に設けられ、識別計数部（２４）により計数された紙葉類を集積部（２６）に集積させる回転式案内部材（２８）と、集積部（２６）の前面に設けられた開口を閉止するためのシャッター（４０）と、集積部（２６）の前面に設けられた開口の開閉を行うようシャッター（４０）の駆動を行うシャッター駆動部（５０）と、シャッター駆動部（５０）の制御を行う制御部（７０）と、を備えている。
2010095235.tif 000002
【特許請求の範囲】
【請求項１】
紙葉類の計数を行う計数部と、
前記計数部により計数が行われた紙葉類が集積され、前面に開口が設けられた集積部と、
前記集積部に設けられ、前記計数部により計数された紙葉類を前記集積部に集積させる回転式案内部材と、
前記集積部の前面に設けられた開口を閉止するためのシャッターと、
前記集積部の前面に設けられた開口の開閉を行うよう前記シャッターの駆動を行うシャッター駆動部と、
前記シャッター駆動部の制御を行う制御部と、
を備えたことを特徴とする紙葉類計数装置。
【請求項２】
前記回転式案内部材は、略水平方向に延びる軸を中心として回転し、外周面から回転方向とは逆方向の外方に延びる複数の羽根を有する羽根車からなり、
前記羽根車は、前記計数部により計数が行われた紙葉類を羽根間に受け止めてこの羽根間に受け止められた紙葉類を前記集積部に送るよう構成されていることを特徴とする請求項１記載の紙葉類計数装置。
【請求項３】
前記制御部は、前記計数部により紙葉類の計数を開始する以前に、前記シャッター駆動部を制御して前記集積部の前面に設けられた開口を前記シャッターにより閉止させることを特徴とする請求項１記載の紙葉類計数装置。
【請求項４】
前記制御部は、前記計数部による紙葉類の計数開始と同時に、前記シャッター駆動部を制御して前記集積部の前面に設けられた開口を閉止するよう前記シャッターの駆動を開始させ、紙葉類を計数しながら前記開口を閉止させることを特徴とする請求項１記載の紙葉類計数装置。
【請求項５】
前記計数部により計数が行われるべき紙葉類が載置される載置部であって、当該載置部に載置された紙葉類が１枚ずつ前記計数部に送られるような載置部と、前記載置部に紙葉類が載置されているか否かを検出する第１の紙葉類検出手段とを更に備え、
前記制御部は、前記載置部に載置された紙葉類が全て前記計数部に送られ当該載置部に紙葉類がなくなったことが前記第１の紙葉類検出手段により検出されたときに、前記シャッター駆動部を制御して前記集積部の前面に設けられた開口から前記シャッターを退避させ当該開口を開くことを特徴とする請求項３記載の紙葉類計数装置。
【請求項６】
前記制御部において、前記載置部に紙葉類がなくなったことが前記第１の紙葉類検出手段により検出されてから、前記シャッター駆動部を制御して前記シャッターを前記開口から退避させはじめるまでの時間は設定により変更可能となっていることを特徴とする請求項５記載の紙葉類計数装置。
【請求項７】
前記計数部は紙葉類の識別も行うようになっており、
前記計数部によりリジェクト紙葉類であると識別された紙葉類が当該計数部から送られるリジェクト部と、前記リジェクト部に紙葉類が集積されているか否かを検出する第２の紙葉類検出手段とを更に備え、
前記制御部は、前記載置部に紙葉類がなくなったことが前記第１の紙葉類検出手段により検出されても、前記リジェクト部に紙葉類があることが前記第２の紙葉類検出手段により検出されたときには、前記集積部の前面に設けられた開口を前記シャッターにより閉止させ続けることを特徴とする請求項５記載の紙葉類計数装置。
【請求項８】
前記制御部は、当該制御部に指令されたバッチ枚数ずつ前記計数部により紙葉類の計数を行わせるようなバッチ処理モードを選択的に行うようになっており、
前記制御部が前記バッチ処理モードで紙葉類の処理を行う際に、前記載置部に紙葉類がなくなったことが前記第１の紙葉類検出手段により検出されても、前記集積部に送られた紙葉類の枚数が前記バッチ枚数に達していないときには、前記集積部の前面に設けられた開口を前記シャッターにより閉止させ続けることを特徴とする請求項５記載の紙葉類計数装置。
【請求項９】
前記制御部は、当該制御部に指令されたバッチ枚数ずつ前記計数部により紙葉類の計数を行わせるようなバッチ処理モードを選択的に行うようになっており、
前記制御部が前記バッチ処理モードで紙葉類の処理を行う際に、前記制御部に指令されたバッチ枚数が予め設定された所定枚数より小さい場合には、前記集積部の前面に設けられた開口から前記シャッターを退避させ当該開口を開いたままとすることを特徴とする請求項１記載の紙葉類計数装置。
【請求項１０】
前記計数部により計数が行われるべき紙葉類が載置される載置部であって、当該載置部に載置された紙葉類が１枚ずつ前記計数部に送られるような載置部と、前記載置部と前記集積部との間に設けられ前記載置部から前記集積部に送られる紙葉類が通過したときにこのことを検出する第３の紙葉類検出手段とを更に備え、
前記制御部は、当該制御部に指令されたバッチ枚数ずつ紙葉類を前記計数部により計数を行わせるようなバッチ処理モードを選択的に行うようになっており、
前記制御部が前記バッチ処理モードで紙葉類の処理を行う際に、前記制御部に指令されたバッチ枚数が予め設定された所定枚数以上である場合には、前記制御部は、前記計数部により紙葉類の計数を開始する以前に、前記シャッター駆動部を制御して前記集積部の前面に設けられた開口を前記シャッターにより閉止させ、
前記制御部は、バッチ枚数目の紙葉類を前記第３の紙葉類検出手段が検出したときに、前記シャッター駆動部を制御して前記集積部の前面に設けられた開口から前記シャッターを退避させ当該開口を開くことを特徴とする請求項１記載の紙葉類計数装置。
【請求項１１】
前記制御部において、バッチ枚数目の紙葉類を前記第３の紙葉類検出手段が検出してから、前記シャッター駆動部を制御して前記シャッターを前記開口から退避させはじめるまでの時間は設定により変更可能となっていることを特徴とする請求項１０記載の紙葉類計数装置。
【請求項１２】
前記計数部により計数が行われるべき紙葉類が載置される載置部であって、当該載置部に載置された紙葉類が１枚ずつ前記計数部に送られるような載置部と、前記載置部と前記集積部との間に設けられ前記載置部から前記集積部に送られる紙葉類が通過したときにこのことを検出する第３の紙葉類検出手段とを更に備え、
前記制御部は、前記計数部により紙葉類の計数を開始する以前に、前記シャッター駆動部を制御して前記集積部の前面に設けられた開口を前記シャッターにより閉止させ、
前記制御部は、前記集積部に送られたときにこの集積部が満杯となるような紙葉類を前記第３の紙葉類検出手段が検出したときに、前記シャッター駆動部を制御して前記集積部の前面に設けられた開口から前記シャッターを退避させ当該開口を開くことを特徴とする請求項１記載の紙葉類計数装置。
【請求項１３】
前記制御部において、前記集積部に送られたときにこの集積部が満杯となるような紙葉類を前記第３の紙葉類検出手段が検出してから、前記シャッター駆動部を制御して前記シャッターを前記開口から退避させはじめるまでの時間は設定により変更可能となっていることを特徴とする請求項１２記載の紙葉類計数装置。
【請求項１４】
前記第３の紙葉類検出手段は、紙葉類が前記第３の紙葉類検出手段により検出されてから前記集積部に送られるまでの時間と、前記シャッターが前記集積部の前面に設けられた開口を閉止した位置から前記開口を開く位置までの移動に要する時間とが略一致するような位置に設けられていることを特徴とする請求項１０または１２記載の紙葉類計数装置。
【請求項１５】
前記制御部は、前記シャッター駆動部の制御を行い前記集積部の前面に設けられた開口の開閉を前記シャッターにより行うシャッター動作有りモード、および前記シャッター駆動部の制御を行わず前記集積部の前面に設けられた開口の開閉を前記シャッターにより行わないシャッター動作無しモードのうちいずれか一方の運転モードを選択的に行うことを特徴とする請求項１記載の紙葉類計数装置。
【請求項１６】
前記シャッターは、前記計数部により紙葉類の計数を行っている最中でも手動により前記集積部の前面に設けられた開口から退避させることができるよう構成されていることを特徴とする請求項１記載の紙葉類計数装置。
【請求項１７】
前記シャッターは透明な部材から構成されていることを特徴とする請求項１記載の紙葉類計数装置。
【請求項１８】
前記シャッターは、軸を中心として、前記集積部の前面に設けられた開口を閉止する閉止位置と前記開口から退避して当該開口を開く開口位置との間で揺動するようになっており、前記開口位置は前記回転式案内部材の下方に位置することを特徴とする請求項１記載の紙葉類計数装置。
【請求項１９】
前記シャッターには弾性部材が設けられており、前記シャッター駆動部には前記シャッターに係合するカムが設けられており、
前記シャッターは、前記弾性部材の収縮力により前記集積部の前面に設けられた開口を閉止する閉止位置に向かって付勢されるとともに前記シャッター駆動部に設けられた前記カムにより前記開口から退避して当該開口を開く開口位置に向かって駆動されるようになっていることを特徴とする請求項１記載の紙葉類計数装置。
【請求項２０】
前記シャッターおよび前記シャッター駆動部の間には、ギアおよびトルクリミッタが設けられており、前記シャッター駆動部からの駆動力は前記ギアおよび前記トルクリミッタを介して前記シャッターに伝達されるようになっており、
前記トルクリミッタは、予め設定された所定の設定トルクよりも大きな力が当該トルクリミッタに与えられたときに前記シャッター駆動部から前記シャッターへの駆動力を遮断するようになっていることを特徴とする請求項１記載の紙葉類計数装置。
【発明の詳細な説明】
【技術分野】
【０００１】
本発明は、紙幣や小切手等の紙葉類の計数を行う紙葉類計数装置に関する。
【背景技術】
【０００２】
従来より、紙幣や小切手等の紙葉類の計数を行う紙葉類計数装置として、様々なタイプのものが用いられている。例えば、実用新案登録公報第２６００１００号（ＪＰ２６００１００Ｙ２）に開示される紙幣計数機においては、多数の紙幣を積層状態で載置部（ホッパー）に載せてセットし、この載置部の底部に設けられたフィードローラ等からなる繰出手段により最下位の紙幣を１枚ずつ繰り出して一対のゲート部材間に送入し、ここで紙幣を１枚のみに分離して通路を介して下方に送り出し、その途上にある羽根車の２枚の羽根間に紙幣を送り込むようになっている。そして、羽根車の回転により２枚の羽根間に受け入れられた紙幣を反転させて集積部上へしごき落とし、この集積部に紙幣を整列状態で整列させるようになっている。また、実用新案登録公報第２６００１００号に開示される紙幣計数機では、紙幣が羽根車に至るまでの間にセンサにより紙幣の通過枚数が計数されるようになっている。【０００３】
また、特許第３５３７６９７号（ＪＰ３５３７６９７Ｂ）や特許第３７４１８９３号（ＪＰ３７４１８９３Ｂ）には、紙幣を識別し、この識別結果に基づいて紙幣を分類するような紙幣整理機が開示されている。このような紙幣整理機においては、集積部（スタッカ）が複数設けられており、金種別に分類された紙幣は各集積部に送られるようになっている。また、各集積部にはシャッターが設けられており、このシャッターは、集積部の開口を選択的に閉止し、当該集積部に操作者がアクセスすることができなくなるよう構成されている。
【発明の開示】
【０００４】
しかしながら、実用新案登録公報第２６００１００号に開示されるような従来の紙幣計数機では、羽根車の回転により紙幣が後方から前面にかけて倒れてくるように集積されるため、搬送路に溜まっている埃や紙幣に付着した埃が操作者側に吹き出るという問題がある。また、この紙幣計数機では、作動しているときの装置内部の音が外部に漏れてしまい、騒音がうるさいという問題がある。
【０００５】
また、前述のように、特許第３５３７６９７号や特許第３７４１８９３号には、集積部にシャッターが設けられた紙幣整理機が開示されている。しかしながら、これらの紙幣整理機では、集積部の上方に開口が設けられているとともにシャッターはこの集積部の上方に設けられた開口の開閉を行うようになっており、このシャッターは防塵用に設けられたものではない。より具体的に説明すると、集積部に設けられたシャッターは、開状態においては集積部に集積された紙幣の取り出しを可能とする一方、閉状態においては集積部に集積された紙幣の取り出しを一切不可とするものであり、このシャッターは集積部のいわゆるロック機能を果たすのみである。
【０００６】
本発明は、このような点を考慮してなされたものであり、操作者に向かって筐体内または紙葉類の埃が吹き出ることを防止することができ、また、作動しているときの装置内部の音が外部に漏れることを防止することができる紙葉類計数装置を提供することを目的とする。
【０００７】
本発明の紙葉類計数装置は、紙葉類の計数を行う計数部と、前記計数部により計数が行われた紙葉類が集積され、前面に開口が設けられた集積部と、前記集積部に設けられ、前記計数部により計数された紙葉類を前記集積部に集積させる回転式案内部材と、前記集積部の前面に設けられた開口を閉止するためのシャッターと、前記集積部の前面に設けられた開口の開閉を行うよう前記シャッターの駆動を行うシャッター駆動部と、前記シャッター駆動部の制御を行う制御部と、を備えたことを特徴とする。
【０００８】
このような紙葉類計数装置によれば、制御部がシャッター駆動部の制御を行うことにより、集積部の前面に設けられた開口の開閉をシャッターにより行うことができるようになる。このため、集積部の前面に設けられた開口をシャッターにより選択的に閉止することができ、このシャッターが開口を閉止したときには操作者に向かって紙葉類計数装置の筐体内または紙葉類の埃が吹き出ることを防止することができる。また、シャッターが集積部の前面の開口を閉止することにより、紙葉類計数装置が作動しているときの装置内部の音が外部に漏れることを防止することができる。
【０００９】
本発明の紙葉類計数装置においては、前記回転式案内部材は、略水平方向に延びる軸を中心として回転し、外周面から回転方向とは逆方向の外方に延びる複数の羽根を有する羽根車からなり、前記羽根車は、前記計数部により計数が行われた紙葉類を羽根間に受け止めてこの羽根間に受け止められた紙葉類を前記集積部に送るよう構成されていることが好ましい。
【００１０】
本発明の紙葉類計数装置においては、前記制御部は、前記計数部により紙葉類の計数を開始する以前に、前記シャッター駆動部を制御して前記集積部の前面に設けられた開口を前記シャッターにより閉止させることが好ましい。
【００１１】
あるいは、前記制御部は、前記計数部による紙葉類の計数開始と同時に、前記シャッター駆動部を制御して前記集積部の前面に設けられた開口を閉止するよう前記シャッターの駆動を開始させ、紙葉類を計数しながら前記開口を閉止させるようになっていてもよい。
【００１２】
上述のような紙葉類計数装置においては、前記計数部により計数が行われるべき紙葉類が載置される載置部であって、当該載置部に載置された紙葉類が１枚ずつ前記計数部に送られるような載置部と、前記載置部に紙葉類が載置されているか否かを検出する第１の紙葉類検出手段とを更に備え、前記制御部は、前記載置部に載置された紙葉類が全て前記計数部に送られ当該載置部に紙葉類がなくなったことが前記第１の紙葉類検出手段により検出されたときに、前記シャッター駆動部を制御して前記集積部の前面に設けられた開口から前記シャッターを退避させ当該開口を開くようになっていることがより好ましい。
【００１３】
この際に、前記制御部において、前記載置部に紙葉類がなくなったことが前記第１の紙葉類検出手段により検出されてから、前記シャッター駆動部を制御して前記シャッターを前記開口から退避させはじめるまでの時間は設定により変更可能となっていることがより好ましい。
【００１４】
また、前記計数部は紙葉類の識別も行うようになっており、前記計数部によりリジェクト紙葉類であると識別された紙葉類が当該計数部から送られるリジェクト部と、前記リジェクト部に紙葉類が集積されているか否かを検出する第２の紙葉類検出手段とを更に備え、前記制御部は、前記載置部に紙葉類がなくなったことが前記第１の紙葉類検出手段により検出されても、前記リジェクト部に紙葉類があることが前記第２の紙葉類検出手段により検出されたときには、前記集積部の前面に設けられた開口を前記シャッターにより閉止させ続けることがより好ましい。
【００１５】
また、前記制御部は、当該制御部に指令されたバッチ枚数ずつ前記計数部により紙葉類の計数を行わせるようなバッチ処理モードを選択的に行うようになっており、前記制御部が前記バッチ処理モードで紙葉類の処理を行う際に、前記載置部に紙葉類がなくなったことが前記第１の紙葉類検出手段により検出されても、前記集積部に送られた紙葉類の枚数が前記バッチ枚数に達していないときには、前記集積部の前面に設けられた開口を前記シャッターにより閉止させ続けることがより好ましい。
【００１６】
本発明の紙葉類計数装置においては、前記制御部は、当該制御部に指令されたバッチ枚数ずつ前記計数部により紙葉類の計数を行わせるようなバッチ処理モードを選択的に行うようになっており、前記制御部が前記バッチ処理モードで紙葉類の処理を行う際に、前記制御部に指令されたバッチ枚数が予め設定された所定枚数より小さい場合には、前記集積部の前面に設けられた開口から前記シャッターを退避させ当該開口を開いたままとすることが好ましい。
【００１７】
本発明の紙葉類計数装置においては、前記計数部により計数が行われるべき紙葉類が載置される載置部であって、当該載置部に載置された紙葉類が１枚ずつ前記計数部に送られるような載置部と、前記載置部と前記集積部との間に設けられ前記載置部から前記集積部に送られる紙葉類が通過したときにこのことを検出する第３の紙葉類検出手段とを更に備え、前記制御部は、当該制御部に指令されたバッチ枚数ずつ紙葉類を前記計数部により計数を行わせるようなバッチ処理モードを選択的に行うようになっており、前記制御部が前記バッチ処理モードで紙葉類の処理を行う際に、前記制御部に指令されたバッチ枚数が予め設定された所定枚数以上である場合には、前記制御部は、前記計数部により紙葉類の計数を開始する以前に、前記シャッター駆動部を制御して前記集積部の前面に設けられた開口を前記シャッターにより閉止させ、前記制御部は、バッチ枚数目の紙葉類を前記第３の紙葉類検出手段が検出したときに、前記シャッター駆動部を制御して前記集積部の前面に設けられた開口から前記シャッターを退避させ当該開口を開くことが好ましい。
【００１８】
この際に、前記制御部において、バッチ枚数目の紙葉類を前記第３の紙葉類検出手段が検出してから、前記シャッター駆動部を制御して前記シャッターを前記開口から退避させはじめるまでの時間は設定により変更可能となっていることがより好ましい。
【００１９】
本発明の紙葉類計数装置においては、前記計数部により計数が行われるべき紙葉類が載置される載置部であって、当該載置部に載置された紙葉類が１枚ずつ前記計数部に送られるような載置部と、前記載置部と前記集積部との間に設けられ前記載置部から前記集積部に送られる紙葉類が通過したときにこのことを検出する第３の紙葉類検出手段とを更に備え、前記制御部は、前記計数部により紙葉類の計数を開始する以前に、前記シャッター駆動部を制御して前記集積部の前面に設けられた開口を前記シャッターにより閉止させ、前記制御部は、前記集積部に送られたときにこの集積部が満杯となるような紙葉類を前記第３の紙葉類検出手段が検出したときに、前記シャッター駆動部を制御して前記集積部の前面に設けられた開口から前記シャッターを退避させ当該開口を開くことが好ましい。
【００２０】
この際に、前記制御部において、前記集積部に送られたときにこの集積部が満杯となるような紙葉類を前記第３の紙葉類検出手段が検出してから、前記シャッター駆動部を制御して前記シャッターを前記開口から退避させはじめるまでの時間は設定により変更可能となっていることがより好ましい。
【００２１】
また、前記第３の紙葉類検出手段は、紙葉類が前記第３の紙葉類検出手段により検出されてから前記集積部に送られるまでの時間と、前記シャッターが前記集積部の前面に設けられた開口を閉止した位置から前記開口を開く位置までの移動に要する時間とが略一致するような位置に設けられていることがより好ましい。
【００２２】
本発明の紙葉類計数装置においては、前記制御部は、前記シャッター駆動部の制御を行い前記集積部の前面に設けられた開口の開閉を前記シャッターにより行うシャッター動作有りモード、および前記シャッター駆動部の制御を行わず前記集積部の前面に設けられた開口の開閉を前記シャッターにより行わないシャッター動作無しモードのうちいずれか一方の運転モードを選択的に行うことが好ましい。
【００２３】
本発明の紙葉類計数装置においては、前記シャッターは、前記計数部により紙葉類の計数を行っている最中でも手動により前記集積部の前面に設けられた開口から退避させることができるよう構成されていることが好ましい。
【００２４】
本発明の紙葉類計数装置においては、前記シャッターは透明な部材から構成されていることが好ましい。
【００２５】
本発明の紙葉類計数装置においては、前記シャッターは、軸を中心として、前記集積部の前面に設けられた開口を閉止する閉止位置と前記開口から退避して当該開口を開く開口位置との間で揺動するようになっており、前記開口位置は前記回転式案内部材の下方に位置することが好ましい。
【００２６】
本発明の紙葉類計数装置においては、前記シャッターには弾性部材が設けられており、前記シャッター駆動部には前記シャッターに係合するカムが設けられており、前記シャッターは、前記弾性部材の収縮力により前記集積部の前面に設けられた開口を閉止する閉止位置に向かって付勢されるとともに前記シャッター駆動部に設けられた前記カムにより前記開口から退避して当該開口を開く開口位置に向かって駆動されるようになっていることが好ましい。
【００２７】
あるいは、前記シャッターおよび前記シャッター駆動部の間には、ギアおよびトルクリミッタが設けられており、前記シャッター駆動部からの駆動力は前記ギアおよび前記トルクリミッタを介して前記シャッターに伝達されるようになっており、前記トルクリミッタは、予め設定された所定の設定トルクよりも大きな力が当該トルクリミッタに与えられたときに前記シャッター駆動部から前記シャッターへの駆動力を遮断するようになっていてもよい。
【図面の簡単な説明】
【００２８】
【図１】本発明の一の実施の形態による紙葉類計数装置の内部の構成を示す概略構成図であって、集積部の前面に設けられた開口をシャッターが閉止したときの状態を示す図である。
【図２】図１に示す紙葉類計数装置において、集積部の前面に設けられた開口からシャッターを退避させ当該開口を開いたときの状態を示す概略構成図である。
【図３】図１等に示す紙葉類計数装置におけるシャッター、このシャッターを支持するシャッター支持部およびシャッター駆動部等の構成の詳細を示す構成図であって、集積部の前面に設けられた開口をシャッターが閉止したときの状態を示す図である。
【図４】図１等に示す紙葉類計数装置におけるシャッター、このシャッターを支持するシャッター支持部およびシャッター駆動部等の構成の詳細を示す構成図であって、集積部の前面に設けられた開口からシャッターを退避させ当該開口を開いたときの状態を示す図である。
【図５】図１等に示す紙葉類計数装置の制御ブロック図である。
【図６】図１等に示す紙葉類計数装置による一連の動作を示すフローチャートである。
【図７】図１等に示す紙葉類計数装置による一連の動作を示すフローチャートである。
【図８】図１等に示す紙葉類計数装置による一連の動作を示すフローチャートである。
【図９】本発明の変形例における紙葉類計数装置のシャッター、このシャッターを支持するシャッター支持部、シャッター駆動部、複数のギア、トルクリミッタ等の構成を示す側面図である。
【図１０】図９に示すシャッター、このシャッターを支持するシャッター支持部、シャッター駆動部、複数のギア、トルクリミッタ等を上方から見た上面図である。
【発明を実施するための最良の形態】
【００２９】
以下、図面を参照して本発明の一の実施の形態について説明する。ここで、図１乃至図８は、本実施の形態に係る紙葉類計数装置を示す図である。このうち、図１および図２は、本実施の形態による紙葉類計数装置の内部の構成を示す概略構成図であり、図３および図４は、図１等に示す紙葉類計数装置におけるシャッター、このシャッターを支持するシャッター支持部およびシャッター駆動部等の構成の詳細を示す構成図である。また、図５は、図１等に示す紙葉類計数装置の制御ブロック図であり、図６乃至図８は、図１等に示す紙葉類計数装置による一連の動作を示すフローチャートである。本実施の形態による紙葉類計数装置は、紙幣や小切手等の紙葉類の計数を行うものである。【００３０】
図１および図２に示すように、紙葉類計数装置１０は、筐体１２と、計数が行われるべき複数の紙葉類Ｐが積層状態で載置される載置部１４と、載置部１４に載置された積層状態の紙葉類Ｐのうち最下層にある紙葉類Ｐを筐体１２の内部に１枚ずつ繰り出すための繰出部１６と、繰出部１６により筐体１２の内部に繰り出された紙葉類Ｐを１枚ずつ搬送するための搬送部２２と、を備えている。なお、筐体１２は、図１および図２における右側が前面、左側が背面となっている。また、搬送部２２には、載置部１４から筐体１２の内部に繰り出された紙葉類Ｐの識別および計数を行うための識別計数部２４が設けられている。識別計数部２４は、例えばラインセンサから構成されている。【００３１】
繰出部１６は、載置部１４に積層状態で載置された複数の紙葉類Ｐのうち最下層にある一の紙葉類Ｐの表面に当接するキッカローラ１６ａと、紙葉類の繰出方向においてキッカローラ１６ａの下流側に配置され当該キッカローラ１６ａにより蹴り出された紙葉類Ｐの筐体１２の内部への繰り出しを行うフィードローラ１６ｂとを有している。また、フィードローラ１６ｂに対向してゲートローラ（逆転ローラ）１６ｃが設けられており、フィードローラ１６ｂとゲートローラ１６ｃとの間にゲート部が形成されている。キッカローラ１６ａにより蹴り出された紙葉類Ｐはゲート部を通過して１枚ずつ筐体１２内の搬送部２２に繰り出されるようになっている。【００３２】
また、識別計数部２４よりも下流側の箇所において搬送部２２は２つの搬送路に分岐しており、一方の搬送路には集積部２６が接続されており、他方の搬送路にはリジェクト部３０が接続されている。ここで、集積部２６には、識別計数部２４により正常な紙葉類であると識別された紙葉類Ｐが搬送部２２から送られるようになっている。この集積部２６の前面（図１および図２における右側の面）には開口が設けられており、操作者はこの開口を介して集積部２６に集積された紙葉類Ｐを取り出すことができるようになっている。【００３３】
また、リジェクト部３０には、識別計数部２４により正常な紙葉類ではないと識別された紙葉類、および識別計数部２４により識別することができなかった紙葉類がリジェクト紙葉類Ｐ´として搬送部２２から送られるようになっている。このリジェクト部３０の前面にも開口が設けられており、操作者はこの開口を介してリジェクト部３０に集積されたリジェクト紙葉類Ｐ´を取り出すことができるようになっている。【００３４】
図１および図２に示すように、搬送部２２における２つの搬送路に分岐する箇所には分岐部材３２が設けられており、この分岐部材３２により、当該分岐部材３２の上流側から送られた紙葉類が、分岐した２つの搬送路のうちいずれか一方の搬送路に選択的に送られるようになっている。【００３５】
集積部２６における筐体１２の背面側の位置（図１および図２における左側の位置）には羽根車２８が設けられている。この羽根車２８は、図１等の紙面に対して直交する、略水平方向に延びる軸を中心として図１等の時計回りの方向（図１および図２における矢印方向）に回転するようになっている。なお、羽根車２８の回転動作は、後述する羽根車駆動部２９（図１および図２では図示せず）により行われるようになっている。羽根車２８には、外周面から回転方向とは逆方向（図１等における反時計回りの方向）の外方に延びる複数の羽根２８ａが設けられている。これらの羽根２８ａは、図１等に示すように羽根車２８の外周面において等間隔に設けられている。【００３６】
羽根車２８は、紙葉類計数装置１０の動作中、羽根車駆動部２９により常に図１等の時計回りに回転させられるようになっており、この羽根車２８には、搬送部２２から紙葉類Ｐが１枚ずつ送られるようになっている。そして、羽根車２８は、搬送部２２から送られた紙葉類Ｐを２枚の羽根２８ａの間に受け止めてこの羽根２８ａ間に受け止められた紙葉類Ｐを集積部２６に送るようになっている。このようにして、集積部２６には羽根車２８から紙葉類Ｐが１枚ずつ送られ、この集積部２６において複数の紙葉類Ｐが集積される。【００３７】
また、本実施の形態の紙葉類計数装置１０においては、集積部２６の前面に設けられた開口を閉止するためのシャッター４０が設けられており、このシャッター４０により集積部２６の前面の開口が選択的に閉止されるようになっている。このシャッター４０は、後述する例えばモータからなるシャッター駆動部５０（図１および図２では図示せず）により、図１に示すような集積部２６の前面の開口を閉止する閉止位置と、図２に示すような集積部２６の前面の開口から退避して当該開口を開く開口位置との間で移動させられるようになっている。すなわち、シャッター４０が図１に示すような閉止位置にあるときには、集積部２６の前面の開口はシャッター４０により閉止され、操作者は集積部２６に集積された紙葉類Ｐにアクセスすることができない。一方、シャッター４０が図２に示すような開口位置にあるときには、シャッター４０は集積部２６の前面の開口から退避して当該開口は開かれることとなり、操作者は集積部２６に集積された紙葉類Ｐにアクセスすることができるようになる。【００３８】
このようなシャッター４０が設けられている理由について以下に説明する。集積部２６に羽根車２８が設けられた紙葉類計数装置１０においては、羽根車２８の回転により紙葉類Ｐが後方から前面にかけて（図１等の左方から右方に）倒れてくるように集積されるため、集積部２６等に溜まっている埃や紙葉類Ｐに付着した埃が集積部２６の前面の開口を介して操作者側に吹き出るおそれがある。しかしながら、図１に示すようにシャッター４０により集積部２６の前面の開口を閉止した場合には、羽根車２８の回転により操作者に向かって埃が吹き出ることを抑制することができる。また、シャッター４０が集積部２６の前面の開口を閉止することにより、紙葉類計数装置１０が作動しているときの装置内部の音が外部に漏れることを防止することができる。【００３９】
シャッター４０はプラスチック等の透明な部材から構成されていてもよい。この場合、シャッター４０が図１に示すような集積部２６の前面の開口を閉止する閉止位置にある場合でも、操作者はこの透明部材からなるシャッター４０を介して集積部２６における紙葉類Ｐの集積状況を視覚により確認することができるようになる。【００４０】
次に、シャッター駆動部５０によるシャッター４０の駆動について図３および図４を用いてより詳細に説明する。図３および図４は、図１等に示す紙葉類計数装置１０におけるシャッター４０、このシャッター４０を支持するシャッター支持部４２およびシャッター駆動部５０等の構成の詳細を示す構成図である。より詳細には、図３は、図１に示す状態に対応するものであり、集積部２６の前面に設けられた開口をシャッター４０が閉止したときの状態を示す図である。一方、図４は、図２に示す状態に対応するものであり、集積部２６の前面に設けられた開口からシャッター４０を退避させ当該開口を開いたときの状態を示す図である。【００４１】
図３等に示すように、シャッター４０はシャッター支持部４２により支持されており、このシャッター支持部４２には略長方形形状の板状部材４４が取り付けられている。板状部材４４の中心部分には軸４４ａが設けられており、板状部材４４は軸４４ａを中心として揺動するようになっている。このため、シャッター支持部４２により支持されたシャッター４０も軸４４ａを中心として揺動するようになっている。板状部材４４におけるシャッター４０とは反対側の端部には円形のリンク部材４４ｂが板状部材４４に対して回転自在に取り付けられている。【００４２】
一方、板状部材４４におけるリンク部材４４ｂが設けられた端部とは反対側の端部には、弾性部材、具体的には例えばバネ４６の端部４６ｂが取り付けられている。このバネ４６における板状部材４４が設けられた端部４６ｂとは反対側の端部４６ａは筐体１２の内面に固定されている。すなわち、図３等において、バネ４６の一方の端部４６ａはその位置が固定されており、板状部材４４が軸４４ａを中心として揺動することによりこの板状部材４４の端部に取り付けられたバネ４６の他方の端部４６ｂの位置が変化するようになっている。バネ４６の収縮力により、シャッター４０は常に図４に示すような開口位置から図３に示すような閉止位置に向かって付勢されるようになっている。【００４３】
また、板状部材４４に設けられた回転自在の円形のリンク部材４４ｂの外周面に当接するよう、カム部材５２が設けられている。また、このカム部材５２には、その中心部分から偏心した箇所に回転軸５１が取り付けられており、この回転軸５１は例えばモータからなるシャッター駆動部５０により図３等における反時計回りの方向（矢印方向）に回転させられるようになっている。このことによりカム部材５２も回転軸５１を中心として図３等における反時計回りの方向（矢印方向）に回転させられるようになっている。このように、回転軸５１を中心としてカム部材５２が回転することにより、このカム部材５２の縁部に当接するリンク部材４４ｂが図３に示す状態から図３の上方向（矢印方向）に押し上げられるように押圧され、板状部材４４が軸４４ａを中心として時計回りに回転することとなる。このことにより、この板状部材４４に取り付けられたシャッター支持部４２も図３に示す状態から軸４４ａを中心として時計回りの方向に回転し、このシャッター支持部４２は図３に示す箇所から図４に示す箇所に移動する。このようにして、シャッター４０は図１に示すような閉止位置から図２に示すような開口位置に移動する。この際に、バネ４６は図３に示す状態から図４に示す状態に伸びることとなる。【００４４】
一方、図４に示すような状態からカム部材５２が回転軸５１を中心としてさらに図４の反時計回りの方向（矢印方向）に回転すると、板状部材４４に設けられた円形のリンク部材４４ｂはこれ以上カム部材５２により図４の上方向に押圧されることはなくなり、バネ４６の収縮力により板状部材４４は図４に示す状態から軸４４ａを中心として図４の反時計回りの方向に回転することとなる。このことにより、この板状部材４４に取り付けられたシャッター支持部４２も図４に示す状態から軸４４ａを中心として反時計回りの方向に回転し、このシャッター支持部４２は図４に示す箇所から図３に示す箇所に戻ることとなる。このようにして、シャッター４０は図２に示すような開口位置から図１に示すような閉止位置に戻る。この際に、バネ４６は図４に示す状態から図３に示す状態に縮むこととなる。【００４５】
このようにして、シャッター４０は、シャッター駆動部５０により、軸４４ａを中心として、集積部２６の前面の開口を閉止する閉止位置（図１、図３参照）とこの開口から退避して当該開口を開く開口位置（図２、図４参照）との間で揺動する。そして、図２等に示すように、開口位置は羽根車２８の下方に位置することとなる。このことにより、シャッター４０が開口位置にあるときには、羽根車２８等から生じた埃を受けることができ、筐体１２の内部底面に埃が蓄積されることを防止することができる。【００４６】
なお、シャッター４０が図１に示す閉止位置から図２に示す開口位置に移動するまでの時間、および図２に示す開口位置から図１に示す閉止位置に移動するまでの時間は、それぞれ例えば０．５秒となっている。【００４７】
また、バネ４６の収縮力により、シャッター４０は図４に示すような開口位置から図３に示すような閉止位置に向かって付勢されるようになっているので、このバネ４６の収縮力に抗して手動によりシャッター４０を図３に示す閉止位置から下方に移動させることができる。このようにして、シャッター４０は、当該シャッター４０が図３に示す閉止位置にあり識別計数部２４により紙葉類Ｐの計数を行っている最中でも、手動により集積部２６の前面の開口から退避させることができ、集積部２６から紙葉類Ｐを取り出すことができるようになる。【００４８】
また、シャッター４０にはバネ４６が設けられており、シャッター駆動部５０には板状部材４４のリンク部材４４ｂに係合するカム部材５２が設けられており、シャッター４０は、バネ４６の収縮力により集積部２６の前面の開口を閉止する閉止位置（図３）に向かって付勢されるとともに、シャッター駆動部５０に設けられたカム部材５２により集積部２６の前面の開口から退避して当該開口を開く開口位置（図４）に向かって駆動されるようになっている。このため、シャッター４０が図２に示す開口位置から図１に示す閉止位置に移動する間に、操作者の指等がシャッター４０により挟まれて怪我をしてしまうというトラブルを防止することができる。なぜならば、シャッター４０を閉止位置に向かって押圧する力は、シャッター駆動部５０による駆動力ではなくバネ４６の収縮力だからである。【００４９】
図３および図４に示すように、カム部材５２の近傍には、シャッター閉検出センサ５４ａおよびシャッター開検出センサ５４ｂがそれぞれ位置固定で設けられている。これらのシャッター閉検出センサ５４ａおよびシャッター開検出センサ５４ｂはそれぞれ光センサより構成されている。また、カム部材５２の側面には、シャッター閉検出センサ５４ａやシャッター開検出センサ５４ｂにより検出される被検出部材５３が設けられている。ここで、図３に示すように、シャッター閉検出センサ５４ａが被検出部材５３を検出したときには、シャッター４０が閉止位置にあることが検出される。一方、図３に示す状態からカム部材５２が回転軸５１を中心として反時計回りの方向に回転し、図４に示す状態となったときには、シャッター開検出センサ５４ｂが被検出部材５３を検出する。このことにより、シャッター４０が開口位置にあることが検出される。【００５０】
また、図１等に示すように、紙葉類計数装置１０には様々なセンサが設けられている。具体的には、載置部１４には、当該載置部１４に紙葉類Ｐが残留しているか否かを検出するための載置部残留検出センサ（第１の紙葉類検出手段）６０が設けられている。また、リジェクト部３０には、当該リジェクト部３０にリジェクト紙葉類Ｐ´があるか否かを検出するためのリジェクト部紙葉類検出センサ（第２の紙葉類検出手段）６２が設けられている。また、識別計数部２４の上流側における搬送部２２には紙葉類通過検出センサ（第３の紙葉類検出手段）６４が設けられており、紙葉類Ｐが搬送部２２で搬送されてこの紙葉類通過検出センサ６４を通過したときに、紙葉類通過検出センサ６４は紙葉類Ｐが通過したことを検出するようになっている。なお、図１および図２では、紙葉類通過検出センサ６４は搬送部２２における識別計数部２４の上流側に設置されているが、識別計数部２４の下流側に紙葉類通過検出センサ６４が設置されていてもよい。【００５１】
紙葉類通過検出センサ６４の設置箇所についてより具体的に説明する。この紙葉類通過検出センサ６４は、紙葉類Ｐが紙葉類通過検出センサ６４により検出されてから集積部２６に送られるまでの時間と、シャッター４０が集積部２６の前面の開口を閉止した閉止位置（図１参照）からこの開口を開く開口位置（図２参照）までの移動に要する時間（具体的には、例えば０．５秒）とが略一致するような位置で搬送部２２に設けられている。紙葉類通過検出センサ６４が搬送部２２におけるこのような位置に設けられていることにより、もし仮に紙葉類Ｐが紙葉類通過検出センサ６４により検出されたときにシャッター４０を図１に示す閉止位置から開きはじめたとすると、シャッター４０が図２に示す開口位置に到達するタイミングとほぼ同じタイミングでこの紙葉類Ｐは集積部２６に到達することとなり、操作者は紙葉類Ｐをすぐに集積部２６から取り出すことができるようになる。【００５２】
また、搬送部２２における分岐部材３２の上流側には、分岐用タイミングセンサ６６が設けられている。分岐部材３２は、紙葉類Ｐが分岐用タイミングセンサ６６により検出されたタイミングで、紙葉類Ｐを集積部２６に送る位置またはリジェクト部３０に送る位置のいずれかの位置に移動することとなる（なお、図１および図２においては、分岐部材３２は紙葉類Ｐを集積部２６に送る位置にある）。このことにより、搬送部２２において搬送され分岐用タイミングセンサ６６により検出された紙葉類Ｐは、分岐部材３２により２つの搬送路のうちいずれかの搬送路に選択的に送られることとなる。【００５３】
また、搬送部２２における集積部２６側の下流側端部には集積部紙葉類検出センサ６８が設けられている。この集積部紙葉類検出センサ６８は、紙葉類Ｐが搬送部２２から羽根車２８に送られるときに、この紙葉類Ｐの検出を行うようになっている。このような集積部紙葉類検出センサ６８により、集積部２６に送られた紙葉類Ｐの枚数を計数することができる。【００５４】
また、図５等に示すように、紙葉類計数装置１０には、当該紙葉類計数装置１０の各構成要素を制御するための制御部７０が設けられている。より具体的には、制御部７０には、繰出部１６、搬送部２２、識別計数部２４、羽根車２８を駆動するための羽根車駆動部２９、分岐部材３２、およびシャッター４０を駆動するためのシャッター駆動部５０がそれぞれ接続されている。そして、識別計数部２４による紙葉類Ｐの識別計数結果が制御部７０に送られるとともに、制御部７０は繰出部１６、搬送部２２、羽根車駆動部２９、分岐部材３２、およびシャッター駆動部５０等に指令信号を送りこれらの構成要素の制御を行うようになっている。また、制御部７０には、載置部残留検出センサ６０、リジェクト部紙葉類検出センサ６２、紙葉類通過検出センサ６４、分岐用タイミングセンサ６６、集積部紙葉類検出センサ６８がそれぞれ接続されており、これらのセンサから検出結果がそれぞれ送られるようになっている。【００５５】
また、制御部７０には、シャッター閉検出センサ５４ａおよびシャッター開検出センサ５４ｂがそれぞれ接続されており、これらのシャッター閉検出センサ５４ａやシャッター開検出センサ５４ｂから、シャッター４０が図３に示す閉止位置にあるという情報または図４に示す開口位置にあるという情報が送られるようになっている。さらに、制御部７０には表示部７２および操作部７４がそれぞれ接続されている。表示部７２および操作部７４はそれぞれ筐体１２の前面に設けられており、表示部７２には紙葉類計数装置１０による紙葉類Ｐの処理状況、より具体的には例えば識別計数部２４により計数された紙葉類Ｐの枚数等の情報が表示されるようになっている。また、操作者が操作部７４により制御部７０に対して様々な指令を送ることができるようになっている。【００５６】
次に、このような構成からなる紙葉類計数装置１０の動作について図６乃至図８のフローチャートを用いて説明する。なお、以下に示す紙葉類計数装置１０の動作は、制御部７０が紙葉類計数装置１０の各構成要素を制御することにより行われる。【００５７】
操作者は、まず、計数が行われるべき紙葉類Ｐを載置部１４に積層状態で載置する。【００５８】
ここで、制御部７０において、シャッター動作有りモードおよびシャッター動作無しモードの２つのモードが設けられている。シャッター動作有りモードとは、制御部７０がシャッター駆動部５０の制御を行い集積部２６の前面の開口の開閉をシャッター４０により行うモードのことである。一方、シャッター動作無しモードとは、制御部７０がシャッター駆動部５０の制御を行わず集積部２６の前面の開口の開閉をシャッター４０により行わないモードのことである。紙葉類計数装置１０の動作を行うにあたり、操作者は操作部７４によりシャッター動作有りモードおよびシャッター動作無しモードのうちいずれか一方の運転モードを選択する。【００５９】
操作者によってシャッター動作無しモードが操作部７４により選択された場合には、シャッター４０は図２に示す開口位置に維持された状態で、すなわち、集積部２６の前面の開口が開いた状態で、載置部１４に載置された紙葉類Ｐの計数が行われ、計数が行われた紙葉類Ｐは集積部２６に送られることとなる。【００６０】
一方、操作者によってシャッター動作有りモードが操作部７４により選択された場合には、図６乃至図８のフローチャートに示す動作が行われる。初期状態において、シャッター４０は集積部２６の前面の開口から退避しており（すなわち、図２に示す開口位置にあり）、集積部２６の前面の開口が開いた状態となっている（図６のＳＴＥＰ１）。【００６１】
ここで、制御部７０は、操作部７４により制御部７０に指令されたバッチ枚数ずつ識別計数部２４により紙葉類Ｐの計数を行わせるようなバッチ処理モードを選択的に行うようになっている。そして、図６のＳＴＥＰ２に示すように、バッチ処理モードを行うか否かが操作者によって操作部７４により選択される。操作者によってバッチ処理モードを行うことが選択された場合には、後述する図７および図８のフローチャートに示す動作が行われる。このようなバッチ処理モードによる紙葉類計数装置１０の動作については後述する。一方、バッチ処理モードを行わないことが選択された場合には、以下に示すような紙葉類Ｐの計数が図６のフローチャートに沿って行われる。【００６２】
制御部７０は、識別計数部２４による紙葉類Ｐの計数を開始する以前に、シャッター駆動部５０を制御して集積部２６の前面の開口をシャッター４０により閉止させる（図６のＳＴＥＰ３）。より具体的には、図４に示す状態からシャッター駆動部５０が回転軸５１を図４の反時計回りの方向（矢印方向）に回転させる。このことにより、板状部材４４に設けられた円形のリンク部材４４ｂはこれ以上カム部材５２により図４の上方向に押圧されることはなくなり、バネ４６の収縮力により板状部材４４は図４に示す状態から軸４４ａを中心として図４の反時計回りの方向に回転する。そして、この板状部材４４に取り付けられたシャッター支持部４２も図４に示す状態から軸４４ａを中心として反時計回りの方向に回転し、このシャッター支持部４２は図４に示す箇所から図３に示す箇所に移動する。このようにして、シャッター４０は図２に示すような開口位置から図１に示すような閉止位置に移動し、シャッター４０は集積部２６の前面の開口を閉止することとなる。【００６３】
ここで、集積部２６の前面の開口をシャッター４０により閉止させるタイミングとしては、識別計数部２４による紙葉類Ｐの計数を開始する以前のタイミング、すなわち紙葉類Ｐの計数を開始する前のタイミングまたは紙葉類Ｐの計数の開始とほぼ同じタイミングとなる。ここで、紙葉類Ｐの計数の開始とほぼ同じタイミングで集積部２６の前面の開口をシャッター４０により閉止させると、紙葉類計数装置１０による紙葉類Ｐの全体の処理時間を短縮することができる。【００６４】
なお、制御部７０は、識別計数部２４による紙葉類Ｐの計数開始と同時に、シャッター駆動部５０を制御して集積部２６の前面の開口を閉止するようシャッター４０の駆動を開始させ、紙葉類Ｐを計数しながら集積部２６の前面の開口を閉止させてもよい。この場合には、紙葉類Ｐを計数しながら集積部２６の前面の開口を閉止させるので、集積部２６の前面の開口を閉止した後に紙葉類Ｐを計数する場合と比較して、紙葉類計数装置１０による紙葉類Ｐの全体の処理時間をより短縮することができる。【００６５】
その後、載置部１４に積層状態で載置された紙葉類Ｐは、最下層にある紙葉類Ｐから順に１枚ずつ繰出部１６により筐体１２内の搬送部２２に繰り出され、この搬送部２２により搬送させられる。この際に、識別計数部２４により紙葉類Ｐの識別および計数が行われる。ここで、識別計数部２４により正常な紙葉類であると識別された紙葉類Ｐは分岐部材３２により集積部２６に送られる。より具体的には、搬送部２２から羽根車２８に紙葉類Ｐが１枚ずつ送られ、この羽根車２８は、搬送部２２から送られた紙葉類Ｐを２枚の羽根２８ａの間に受け止めてこの羽根２８ａ間に受け止められた紙葉類Ｐを集積部２６に送るようになっている。このようにして、羽根車２８により集積部２６に紙葉類Ｐを整列状態で整列させることができる。なお、集積部２６の前面の開口はシャッター４０により閉止されているので、このタイミングでは操作者は集積部２６に集積された紙葉類Ｐを取り出すことができない。【００６６】
一方、識別計数部２４により正常な紙葉類ではないと識別された紙葉類、および識別計数部２４により識別することができなかった紙葉類はリジェクト紙葉類Ｐ´として分岐部材３２によりリジェクト部３０に送られる。このリジェクト部３０の前面には開口が設けられているので、操作者はこの開口を介してリジェクト部３０に集積されたリジェクト紙葉類Ｐ´を取り出すことができる。【００６７】
なお、リジェクト部３０にはリジェクト紙葉類Ｐ´の最大収容枚数が予め設定されており、紙葉類計数装置１０により紙葉類Ｐの計数処理が行われる間に、リジェクト部３０に送られたリジェクト紙葉類Ｐ´の枚数がこの予め設定された最大収容枚数に達したとき、すなわちリジェクト部３０がリジェクト紙葉類Ｐ´で満杯となったときには（図６のＳＴＥＰ４）、このことが表示部７２に表示され、紙葉類計数装置１０による紙葉類Ｐの計数処理が一旦停止する。その後、操作者がリジェクト部３０からリジェクト紙葉類Ｐ´を取り出し（図６のＳＴＥＰ５）、このリジェクト紙葉類Ｐ´を載置部１４に再セットし、操作者が操作部７４により紙葉類Ｐの再計数を開始させると（図６のＳＴＥＰ６）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００６８】
また、集積部２６には紙葉類Ｐの最大収容枚数が予め設定されており、紙葉類計数装置１０により紙葉類Ｐの計数処理が行われる間に、集積部２６に送られた紙葉類Ｐの枚数がこの予め設定された最大収容枚数に達したとき、すなわち集積部２６が紙葉類Ｐで満杯となったときには（図６のＳＴＥＰ７）、このことが表示部７２に表示され、紙葉類計数装置１０による紙葉類Ｐの計数処理が一旦停止する。そして、制御部７０がシャッター駆動部５０を制御し、シャッター４０は図１に示す閉止位置から図２に示す開口位置に移動させられ、集積部２６の前面の開口が開いた状態となる（図６のＳＴＥＰ８）。その後、操作者は集積部２６の前面の開口を介して集積部２６に集積された紙葉類Ｐを取り出し（図６のＳＴＥＰ９）、操作者が操作部７４により紙葉類Ｐの再計数を開始させると（図６のＳＴＥＰ１０）、紙葉類計数装置１０における紙葉類Ｐの計数処理が再開する。なお、操作者が操作部７４により紙葉類Ｐの再計数を開始させる代わりに、集積部２６から紙葉類Ｐを取り出すことにより紙葉類計数装置１０における紙葉類Ｐの計数処理が自動的に再開するようになっていてもよい。ここで、制御部７０は、識別計数部２４による紙葉類Ｐの再計数を開始する以前に、シャッター駆動部５０を制御して集積部２６の前面の開口をシャッター４０により閉止させる（図６のＳＴＥＰ３）。【００６９】
紙葉類計数装置１０による紙葉類Ｐの計数処理は、載置部１４において紙葉類Ｐが無くなるまで行われる。載置部１４に紙葉類Ｐが残留しているか否かの検出は、載置部残留検出センサ６０により行われる（図６のＳＴＥＰ１１）。ここで、載置部１４において紙葉類Ｐが無くなったことが載置部残留検出センサ６０により検出されると、このことが表示部７２に表示される。そして、リジェクト部３０にリジェクト紙葉類Ｐ´があるか否かがリジェクト部紙葉類検出センサ６２により検出される（図６のＳＴＥＰ１２）。リジェクト部３０にリジェクト紙葉類Ｐ´があることがリジェクト部紙葉類検出センサ６２により検出されると、このことが表示部７２に表示される。その後、操作者がリジェクト部３０からリジェクト紙葉類Ｐ´を取り出し（図６のＳＴＥＰ１５）、このリジェクト紙葉類Ｐ´を載置部１４に再セットし、操作者が操作部７４により紙葉類Ｐの再計数を開始させると（図６のＳＴＥＰ１６）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００７０】
一方、載置部１４に紙葉類Ｐが無いことが載置部残留検出センサ６０により検出された状態で、リジェクト部３０にリジェクト紙葉類Ｐ´が無いことがリジェクト部紙葉類検出センサ６２により検出されると、紙葉類計数装置１０による紙葉類Ｐの計数処理が終了する（図６のＳＴＥＰ１３）。その後、制御部７０がシャッター駆動部５０を制御し、シャッター４０は図１に示す閉止位置から図２に示す開口位置に移動させられ、集積部２６の前面の開口が開いた状態となる（図６のＳＴＥＰ１４）。そして、操作者は集積部２６の前面の開口を介して集積部２６に集積された紙葉類Ｐを取り出す。このようにして、バッチ処理モードを行わない場合における紙葉類計数装置１０の動作が完了する。【００７１】
図６のフローチャートに示すような紙葉類計数装置１０の動作によれば、図６のＳＴＥＰ３に示すように、制御部７０は、識別計数部２４により紙葉類Ｐの計数を開始する以前に、シャッター駆動部５０を制御して集積部２６の前面に設けられた開口をシャッター４０により閉止させる。このことにより、識別計数部２４により紙葉類Ｐの計数を行う間、集積部２６の前面の開口はシャッター４０により閉止されるので、操作者に向かって紙葉類計数装置１０の筐体１２内または紙葉類の埃が吹き出ることを防止することができる。【００７２】
また、図６のＳＴＥＰ１１およびＳＴＥＰ１３に示すように、制御部７０は、載置部１４に載置された紙葉類Ｐが全て識別計数部２４に送られ当該載置部１４に紙葉類Ｐがなくなったことが載置部残留検出センサ６０により検出されたときに、シャッター駆動部５０を制御して集積部２６の前面に設けられた開口からシャッター４０を退避させこの開口を開くようになっている。なお、制御部７０において、図６のＳＴＥＰ１２の動作を省略して、すなわちリジェクト部３０にリジェクト紙葉類Ｐ´が残留しているか否かにかかわらず、載置部１４に紙葉類Ｐがなくなったことが載置部残留検出センサ６０により検出されたときに集積部２６の前面の開口が開くようになっていてもよい。また、制御部７０において、載置部１４に紙葉類Ｐがなくなったことが載置部残留検出センサ６０により検出されてから、シャッター駆動部５０を制御してシャッター４０を集積部２６の前面の開口から退避させはじめるまでの時間は、操作者が操作部７４による設定により変更可能となっていてもよい。この場合、紙葉類計数装置１０の防塵や防音を優先するのか、あるいは紙葉類Ｐの処理時間の短縮を優先するのかを操作者が選択することができる。【００７３】
また、図６のＳＴＥＰ１１およびＳＴＥＰ１２に示すように、制御部７０は、載置部１４に紙葉類Ｐがなくなったことが集積部残留検出センサ６０により検出されても、リジェクト部３０にリジェクト紙葉類Ｐ´があることがリジェクト部紙葉類検出センサ６２により検出されたときには、集積部２６の前面に設けられた開口をシャッター４０により閉止させ続けるようになっている。なぜならば、載置部１４に紙葉類Ｐがなくなったとしても、リジェクト部３０にリジェクト紙葉類Ｐ´がある場合には、操作者がリジェクト部３０からリジェクト紙葉類Ｐ´を取り出し、このリジェクト紙葉類Ｐ´を載置部１４に再セットし、その後、紙葉類計数装置１０における紙葉類Ｐの計数処理を再開させる必要があるからである。【００７４】
なお、図６のフローチャートに示すような紙葉類計数装置１０の動作において、図６のＳＴＥＰ７の動作に関し、制御部７０は、集積部２６に送られたときにこの集積部２６が満杯となるような紙葉類Ｐを、搬送部２２に設けられた紙葉類通過検出センサ６４が検出したときに、シャッター駆動部５０を制御して集積部２６の前面の開口からシャッター４０を退避させこの開口を開くようになっていてもよい。この場合、集積部２６に送られた紙葉類Ｐの枚数が予め設定された最大収容枚数に達したとき、すなわち集積部２６が紙葉類Ｐで満杯となったときにシャッター４０を移動させはじめる場合と比較して、より迅速に集積部２６の前面の開口を開くことができ、このため紙葉類Ｐの全体の処理時間を短縮することができる。なお、制御部７０において、集積部２６に送られたときにこの集積部２６が満杯となるような紙葉類Ｐを紙葉類通過検出センサ６４が検出してから、シャッター駆動部５０を制御してシャッター４０を集積部２６の前面の開口から退避させはじめるまでの時間は、操作者が操作部７４による設定により変更可能となっていてもよい。この場合、紙葉類計数装置１０の防塵や防音を優先するのか、あるいは紙葉類Ｐの処理時間の短縮を優先するのかを操作者が選択することができる。【００７５】
また、前述のように、紙葉類通過検出センサ６４は、紙葉類Ｐが紙葉類通過検出センサ６４により検出されてから集積部２６に送られるまでの時間と、シャッター４０が集積部２６の前面の開口を閉止した位置（図１参照）から開口を開く位置（図２参照）までの移動に要する時間とが略一致するような位置に設けられている。このため、集積部２６に送られたときにこの集積部２６が満杯となるような紙葉類Ｐを紙葉類通過検出センサ６４が検出した後、この紙葉類Ｐが実際に集積部２６に到達したとき、集積部２６の前面の開口はちょうど開いた状態となり、操作者はこの紙葉類Ｐが集積部２６に到達した瞬間に集積部２６に集積された紙葉類Ｐの束を取り出すことができるようになる。【００７６】
次に、操作者によってバッチ処理モードを行うことが選択された場合の紙葉類計数装置１０の動作について図７および図８のフローチャートを用いて説明する。【００７７】
まず、操作者は、操作部７４によりバッチ枚数を指定する。ここで、制御部７０は、操作部７４により制御部７０に指令されたバッチ枚数と、予め設定された所定枚数（例えば、１０枚）とを比較する（図７のＳＴＥＰ２１）。ここで、制御部７０に指令されたバッチ枚数が、予め設定された所定枚数以上である場合には、後述する図８のフローチャートに示す動作が行われる。このようなバッチ処理モードによる紙葉類計数装置１０の動作については後述する。一方、操作部７４により制御部７０に指令されたバッチ枚数が、予め設定された所定枚数よりも小さい場合には、制御部７０は、集積部２６の前面の開口からシャッター４０を退避させたままの状態とし、この開口を開いたままとする。そして、以下に示すような紙葉類Ｐの計数が行われる。【００７８】
載置部１４に積層状態で載置された紙葉類Ｐは、最下層にある紙葉類Ｐから順に１枚ずつ繰出部１６により筐体１２内の搬送部２２に繰り出され、この搬送部２２により搬送させられる。この際に、識別計数部２４により紙葉類Ｐの識別および計数が行われる。ここで、識別計数部２４により正常な紙葉類であると識別された紙葉類Ｐは分岐部材３２により集積部２６に送られる。この際に、羽根車２８により集積部２６に紙葉類Ｐを整列状態で整列させることができる。【００７９】
一方、識別計数部２４により正常な紙葉類ではないと識別された紙葉類、および識別計数部２４により識別することができなかった紙葉類はリジェクト紙葉類Ｐ´として分岐部材３２によりリジェクト部３０に送られる。このリジェクト部３０の前面には開口が設けられているので、操作者はこの開口を介してリジェクト部３０に集積されたリジェクト紙葉類Ｐ´を取り出すことができる。【００８０】
前述のように、リジェクト部３０にはリジェクト紙葉類Ｐ´の最大収容枚数が予め設定されており、紙葉類計数装置１０により紙葉類Ｐの計数処理が行われる間に、リジェクト部３０に送られたリジェクト紙葉類Ｐ´の枚数がこの予め設定された最大収容枚数に達したとき、すなわちリジェクト部３０がリジェクト紙葉類Ｐ´で満杯となったときには（図７のＳＴＥＰ２２）、このことが表示部７２に表示され、紙葉類計数装置１０による紙葉類Ｐの計数処理が一旦停止する。その後、操作者がリジェクト部３０からリジェクト紙葉類Ｐ´を取り出し（図７のＳＴＥＰ２３）、このリジェクト紙葉類Ｐ´を載置部１４に再セットし、操作者が操作部７４により紙葉類Ｐの再計数を開始させると（図７のＳＴＥＰ２４）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００８１】
また、紙葉類計数装置１０により紙葉類Ｐの計数処理が行われる間に、集積部２６に送られた紙葉類Ｐの枚数が、制御部７０に指令されたバッチ枚数に達したときには、すなわち、１回のバッチ処理が完了したときには（図７のＳＴＥＰ２５）、このことが表示部７２に表示され、紙葉類計数装置１０による紙葉類Ｐの計数処理が終了する（図７のＳＴＥＰ２６）。ここで、集積部２６の前面の開口は開いた状態に維持されているので、操作者は集積部２６の前面の開口を介して集積部２６に集積された紙葉類Ｐを取り出す。このようにして、１回のバッチ処理における紙葉類計数装置１０の動作が完了する。その後、操作者が操作部７４により紙葉類Ｐの再計数を再開させると、次のバッチ処理が図７に示すフローチャートに沿って行われる。【００８２】
一方、集積部２６に送られた紙葉類Ｐの枚数が、制御部７０に指令されたバッチ枚数に達していないときに、載置部１４において紙葉類Ｐが無くなったことが載置部残留検出センサ６０により検出されると（図７のＳＴＥＰ２７）、このことが表示部７２に表示される。そして、リジェクト部３０にリジェクト紙葉類Ｐ´があるか否かがリジェクト部紙葉類検出センサ６２により検出される（図７のＳＴＥＰ２８）。リジェクト部３０にリジェクト紙葉類Ｐ´があることがリジェクト部紙葉類検出センサ６２により検出されると、このことが表示部７２に表示される。その後、操作者がリジェクト部３０からリジェクト紙葉類Ｐ´を取り出し（図７のＳＴＥＰ２９）、このリジェクト紙葉類Ｐ´を載置部１４に再セットし、操作者が操作部７４により紙葉類Ｐの再計数を開始させると（図７のＳＴＥＰ３０）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００８３】
一方、載置部１４に紙葉類Ｐが無いことが載置部残留検出センサ６０により検出された状態で、リジェクト部３０にリジェクト紙葉類Ｐ´が無いことがリジェクト部紙葉類検出センサ６２により検出されたときに、操作者が操作部７４により制御部７０に対して紙葉類Ｐの計数処理の終了の指令を送ると（図７のＳＴＥＰ３１）、紙葉類計数装置１０による紙葉類Ｐの計数処理が終了する（図７のＳＴＥＰ２６）。ここで、集積部２６の前面の開口は開いた状態に維持されているので、操作者は集積部２６の前面の開口を介して集積部２６に集積された紙葉類Ｐを取り出す。【００８４】
また、載置部１４に紙葉類Ｐが無いことが載置部残留検出センサ６０により検出された状態で、リジェクト部３０にリジェクト紙葉類Ｐ´が無いことがリジェクト部紙葉類検出センサ６２により検出されたときに、操作者が追加の紙葉類Ｐを載置部１４に載置し（図７のＳＴＥＰ３２）、操作者が操作部７４により紙葉類Ｐの再計数を開始させると（図７のＳＴＥＰ３３）、紙葉類計数装置１０における紙葉類Ｐの計数処理が再開する。なお、操作者が操作部７４により紙葉類Ｐの再計数を開始させる代わりに、追加の紙葉類Ｐを載置部１４に載置することにより紙葉類計数装置１０における紙葉類Ｐの計数処理が自動的に再開するようになっていてもよい。【００８５】
図７のフローチャートに示すような紙葉類計数装置１０の動作によれば、図７のＳＴＥＰ２１に示すように、制御部７０がバッチ処理モードで紙葉類Ｐの処理を行う際に、制御部７０に指令されたバッチ枚数が予め設定された所定枚数よりも小さい場合には、制御部７０は、集積部２６の前面に設けられた開口からシャッター４０を退避させ当該開口を開いた状態とする。これは、制御部７０に指令されたバッチ枚数が小さい場合には、毎回のバッチ処理でシャッター４０の開閉をその都度行った場合には紙葉類Ｐの全体の処理時間が長くなってしまうため、集積部２６の前面の開口を開けたままにすることにより紙葉類Ｐの全体の処理時間を短縮するためである。【００８６】
次に、操作者によってバッチ処理モードを行うことが選択された場合において、制御部７０に指令されたバッチ枚数が、予め設定された所定枚数以上である場合の紙葉類計数装置１０の動作について図８のフローチャートを用いて説明する。【００８７】
まず、制御部７０は、識別計数部２４による紙葉類Ｐの計数を開始する以前に、シャッター駆動部５０を制御して集積部２６の前面の開口をシャッター４０により閉止させる（図８のＳＴＥＰ４１）。そして、以下に示すような紙葉類Ｐの計数が行われる。【００８８】
載置部１４に積層状態で載置された紙葉類Ｐは、最下層にある紙葉類Ｐから順に１枚ずつ繰出部１６により筐体１２内の搬送部２２に繰り出され、この搬送部２２により搬送させられる。この際に、識別計数部２４により紙葉類Ｐの識別および計数が行われる。ここで、識別計数部２４により正常な紙葉類であると識別された紙葉類Ｐは分岐部材３２により集積部２６に送られる。この際に、羽根車２８により集積部２６に紙葉類Ｐを整列状態で整列させることができる。なお、集積部２６の前面の開口はシャッター４０により閉止されているので、このタイミングでは操作者は集積部２６に集積された紙葉類Ｐを取り出すことができない。【００８９】
一方、識別計数部２４により正常な紙葉類ではないと識別された紙葉類、および識別計数部２４により識別することができなかった紙葉類はリジェクト紙葉類Ｐ´として分岐部材３２によりリジェクト部３０に送られる。このリジェクト部３０の前面には開口が設けられているので、操作者はこの開口を介してリジェクト部３０に集積されたリジェクト紙葉類Ｐ´を取り出すことができる。【００９０】
前述のように、リジェクト部３０にはリジェクト紙葉類Ｐ´の最大収容枚数が予め設定されており、紙葉類計数装置１０により紙葉類Ｐの計数処理が行われる間に、リジェクト部３０に送られたリジェクト紙葉類Ｐ´の枚数がこの予め設定された最大収容枚数に達したとき、すなわちリジェクト部３０がリジェクト紙葉類Ｐ´で満杯となったときには（図８のＳＴＥＰ４２）、このことが表示部７２に表示され、紙葉類計数装置１０による紙葉類Ｐの計数処理が一旦停止する。その後、操作者がリジェクト部３０からリジェクト紙葉類Ｐ´を取り出し（図８のＳＴＥＰ４３）、このリジェクト紙葉類Ｐ´を載置部１４に再セットし、操作者が操作部７４により紙葉類Ｐの再計数を開始させると（図８のＳＴＥＰ４４）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００９１】
また、紙葉類計数装置１０により紙葉類Ｐの計数処理が行われる間に、集積部２６に送られた紙葉類Ｐの枚数が、制御部７０に指令されたバッチ枚数に達したときには、すなわち、１回のバッチ処理が完了したときには（図８のＳＴＥＰ４５）、このことが表示部７２に表示され、紙葉類計数装置１０による紙葉類Ｐの計数処理が終了する（図８のＳＴＥＰ４６）。その後、制御部７０がシャッター駆動部５０を制御し、シャッター４０は図１に示す閉止位置から図２に示す開口位置に移動させられ、集積部２６の前面の開口が開いた状態となる（図８のＳＴＥＰ４７）。そして、操作者は集積部２６の前面の開口を介して集積部２６に集積された紙葉類Ｐを取り出す。このようにして、１回のバッチ処理における紙葉類計数装置１０の動作が完了する。その後、操作者が操作部７４により紙葉類Ｐの再計数を開始させると、次のバッチ処理が図８に示すフローチャートに沿って行われる。【００９２】
一方、集積部２６に送られた紙葉類Ｐの枚数が、制御部７０に指令されたバッチ枚数に達していないときに、載置部１４において紙葉類Ｐが無くなったことが載置部残留検出センサ６０により検出されると（図８のＳＴＥＰ４８）、このことが表示部７２に表示される。そして、リジェクト部３０にリジェクト紙葉類Ｐ´があるか否かがリジェクト部紙葉類検出センサ６２により検出される（図８のＳＴＥＰ４９）。リジェクト部３０にリジェクト紙葉類Ｐ´があることがリジェクト部紙葉類検出センサ６２により検出されると、このことが表示部７２に表示される。その後、操作者がリジェクト部３０からリジェクト紙葉類Ｐ´を取り出し（図８のＳＴＥＰ５０）、このリジェクト紙葉類Ｐ´を載置部１４に再セットし、操作者が操作部７４により紙葉類Ｐの再計数を開始させると（図８のＳＴＥＰ５１）、紙葉類計数装置１０における紙葉類Ｐの計数処理が再開する。なお、操作者が操作部７４により紙葉類Ｐの再計数を開始させる代わりに、リジェクト部３０から取り出したリジェクト紙葉類Ｐ´を載置部１４に載置することにより紙葉類計数装置１０における紙葉類Ｐの計数処理が自動的に再開するようになっていてもよい。【００９３】
一方、載置部１４に紙葉類Ｐが無いことが載置部残留検出センサ６０により検出された状態で、リジェクト部３０にリジェクト紙葉類Ｐ´が無いことがリジェクト部紙葉類検出センサ６２により検出されたときに、操作者が操作部７４により制御部７０に対して紙葉類Ｐの計数処理の終了の指令を送ると（図８のＳＴＥＰ５２）、紙葉類計数装置１０による紙葉類Ｐの計数処理が終了する（図８のＳＴＥＰ４６）。その後、制御部７０がシャッター駆動部５０を制御し、シャッター４０は図１に示す閉止位置から図２に示す開口位置に移動させられ、集積部２６の前面の開口が開いた状態となる（図８のＳＴＥＰ４７）。そして、操作者は集積部２６の前面の開口を介して集積部２６に集積された紙葉類Ｐを取り出す。【００９４】
また、載置部１４に紙葉類Ｐが無いことが載置部残留検出センサ６０により検出された状態で、リジェクト部３０にリジェクト紙葉類Ｐ´が無いことがリジェクト部紙葉類検出センサ６２により検出されたときに、操作者が追加の紙葉類Ｐを載置部１４に載置し（図８のＳＴＥＰ５３）、操作者が操作部７４により紙葉類Ｐの再計数を開始させると（図８のＳＴＥＰ５４）、紙葉類計数装置１０における紙葉類Ｐの計数処理が再開する。なお、操作者が操作部７４により紙葉類Ｐの再計数を開始させる代わりに、追加の紙葉類Ｐを載置部１４に載置することにより紙葉類計数装置１０における紙葉類Ｐの計数処理が自動的に再開するようになっていてもよい。【００９５】
図８のフローチャートに示すような紙葉類計数装置１０の動作によれば、図８のＳＴＥＰ４５およびＳＴＥＰ４８に示すように、制御部７０がバッチ処理モードで紙葉類Ｐの処理を行う際に、載置部１４に紙葉類Ｐがなくなったことが載置部残留検出センサ６０により検出されても、識別計数部２４により計数された紙葉類Ｐの枚数がバッチ枚数に達していないときには、シャッター駆動部５０を制御して集積部２６の前面に設けられた開口をシャッター４０により閉止させ続ける。なぜならば、この場合、図８のＳＴＥＰ５３およびＳＴＥＰ５４に示すように、操作者は、追加の紙葉類Ｐを載置部１４に載置し、操作部７４により紙葉類Ｐの再計数を開始させる必要があるからである。紙葉類計数装置１０においてこのような動作が行われることにより、集積部２６に送られた紙葉類Ｐの実際の枚数が制御部７０に指令されたバッチ枚数よりもわずかに足りない状態で紙葉類計数装置１０の動作が停止した場合でも、操作者が「バッチ処理が適正に行われ集積部２６に集積された紙葉類Ｐの枚数はバッチ枚数である」と勘違いしてしまいこの集積部２６から紙葉類Ｐを誤って取り出してしまうことを防止することができる。【００９６】
なお、図８のフローチャートに示すような紙葉類計数装置１０の動作において、制御部７０は、バッチ枚数目の紙葉類Ｐを、搬送部２２に設けられた紙葉類通過検出センサ６４が検出したときに、シャッター駆動部５０を制御して集積部２６の前面の開口からシャッター４０を退避させこの開口を開くようになっていてもよい。この場合、１回のバッチ処理が完全に終了してから、すなわち集積部２６に送られた紙葉類Ｐの枚数がバッチ枚数に達したことが集積部紙葉類検出センサ６８により検出されてからシャッター４０を移動させはじめる場合と比較して、より迅速に集積部２６の前面の開口を開くことができ、このため紙葉類Ｐの全体の処理時間を短縮することができる。なお、制御部７０において、バッチ枚数目の紙葉類Ｐを紙葉類通過検出センサ６４が検出してから、シャッター駆動部５０を制御してシャッター４０を集積部２６の前面の開口から退避させはじめるまでの時間は、操作者が操作部７４による設定により変更可能となっていてもよい。この場合、紙葉類計数装置１０の防塵や防音を優先するのか、あるいは紙葉類Ｐの処理時間の短縮を優先するのかを操作者が選択することができる。【００９７】
また、前述のように、紙葉類通過検出センサ６４は、紙葉類Ｐが紙葉類通過検出センサ６４により検出されてから集積部２６に送られるまでの時間と、シャッター４０が集積部２６の前面の開口を閉止した位置（図１参照）から開口を開く位置（図２参照）までの移動に要する時間とが略一致するような位置に設けられている。このため、バッチ枚数目の紙葉類Ｐを紙葉類通過検出センサ６４が検出した後、この紙葉類Ｐが実際に集積部２６に到達したとき、集積部２６の前面の開口はちょうど開いた状態となり、操作者はバッチ枚数目の紙葉類Ｐが集積部２６に到達した瞬間に集積部２６に集積された紙葉類Ｐの束を取り出すことができるようになる。【００９８】
以上のように本実施の形態の紙葉類計数装置１０によれば、制御部７０がシャッター駆動部５０の制御を行うことにより、集積部２６の前面に設けられた開口の開閉をシャッター４０により行うことができるようになる。このため、集積部２６の前面に設けられた開口をシャッター４０により選択的に閉止することができ、このシャッター４０が開口を閉止したときには操作者に向かって紙葉類計数装置１０の筐体１２内または紙葉類の埃が吹き出ることを防止することができる。また、シャッター４０が集積部２６の前面の開口を閉止することにより、紙葉類計数装置１０が作動しているときの装置内部の音が外部に漏れることを防止することができる。【００９９】
なお、本発明による紙葉類計数装置は、上記の態様に限定されるものではなく、様々の変更を加えることができる。例えば、紙葉類計数装置のシャッターの駆動を行うための機構は、図３および図４に示すような構成のものに限定されることはない。【０１００】
図９および図１０に、本発明の変形例における紙葉類計数装置のシャッターの駆動を行うための機構を示す。このうち、図９は、本発明の変形例における紙葉類計数装置のシャッター、このシャッターを支持するシャッター支持部、シャッター駆動部、複数のギア、トルクリミッタ等の構成を示す側面図であり、図１０は、図９に示すシャッター、このシャッターを支持するシャッター支持部、シャッター駆動部、複数のギア、トルクリミッタ等を上方から見た上面図である。なお、図９は、集積部の前面に設けられた開口をシャッターが閉止したときの状態におけるシャッター等の構成を示している。【０１０１】
なお、図９および図１０に示すような、本発明の変形例における紙葉類計数装置のシャッターの駆動を行うための機構において、図１乃至図５に示す紙葉類計数装置の各構成要素と略同一の構成のものには同じ参照符号を付している。【０１０２】
図９および図１０に示すように、モータからなるシャッター駆動部５０には第１のギア８０が取り付けられており、このシャッター駆動部５０により第１のギア８０が図９における時計回りの方向および逆時計回りの方向の両方向に回転させられるようになっている。また、第１のギア８０の近傍には、当該第１のギア８０よりも十分に大きな第２のギア８１が設けられており、これらの第１のギア８０および第２のギア８１は互いに噛み合っている。このことにより、第１のギア８０から第２のギア８１に回転力が伝達されるようになっている。【０１０３】
第２のギア８１の側面（図１０における第２のギア８１の上側の面）には、この第２のギア８１よりも十分に小さな第３のギア８２が取り付けられている。これらの第２のギア８１および第３のギア８２はその回転軸が同一直線上にある。このため、第２のギア８１が回転すると第３のギア８２も同期して回転するようになっている。また、第３のギア８２の近傍には、当該第３のギア８２よりも十分に大きな第４のギア８３が設けられており、これらの第３のギア８２および第４のギア８３は互いに噛み合っている。このことにより、第３のギア８２から第４のギア８３に回転力が伝達されるようになっている。【０１０４】
第４のギア８３の側面には、トルクリミッタ８４を介して、この第４のギア８３よりも十分に小さな第５のギア８５が取り付けられている。これらの第４のギア８３および第５のギア８５はその回転軸が同一直線上にある。このため、第４のギア８３が回転すると第５のギア８５も同期して回転するようになっている。また、第４のギア８３と第５のギア８５との間に設けられたトルクリミッタ８４は、予め設定された所定の設定トルクよりも大きな回転力が当該トルクリミッタ８４に与えられたときに、第４のギア８３と第５のギア８５との間の連結を解除し、第４のギア８３に対して第５のギア８５を自由に回転させるようになっている。【０１０５】
第５のギア８５の近傍には、当該第５のギア８５よりも十分に大きな第６のギア８６が設けられており、これらの第５のギア８５および第６のギア８６は互いに噛み合っている。このことにより、第５のギア８５から第６のギア８６に回転力が伝達されるようになっている。また、第６のギア８６は、シャッター４０を支持するシャッター支持部４２に取り付けられている。このため、第６のギア８６およびシャッター支持部４２は軸８６ａを中心として一体的に回転するようになっている。【０１０６】
第６のギア８６には、第１の切り欠き部８６ｂおよび第２の切り欠き部８６ｃがそれぞれ設けられている。また、第６のギア８６の近傍には、シャッター閉検出センサ５４ａおよびシャッター開検出センサ５４ｂがそれぞれ位置固定で設けられている。これらのシャッター閉検出センサ５４ａおよびシャッター開検出センサ５４ｂはそれぞれ光センサより構成されている。シャッター４０が閉止位置にあるときには、第６のギア８６の第１の切り欠き部８６ｂの位置とシャッター閉検出センサ５４ａの位置が略一致するようになっている。このため、シャッター閉検出センサ５４ａは第６のギア８６の第１の切り欠き部８６ｂを検出することにより、シャッター４０が閉止位置にあることを検出するようになっている。また、シャッター４０が開口位置にあるときには、第６のギア８６の第２の切り欠き部８６ｃの位置とシャッター開検出センサ５４ｂの位置が略一致するようになっている。このため、シャッター開検出センサ５４ｂは第６のギア８６の第２の切り欠き部８６ｃを検出することにより、シャッター４０が開口位置にあることを検出するようになっている。【０１０７】
次に、図９および図１０に示すような、本発明の変形例における紙葉類計数装置のシャッターの駆動を行うための機構の動作について以下に説明する。【０１０８】
図９に示すような、シャッター４０が閉止位置にあるような状態からこのシャッター４０を開口位置に移動させる場合には、モータからなるシャッター駆動部５０は第１のギア８０を図９における時計回りの方向に回転させる。このことにより、シャッター駆動部５０による駆動力は第１のギア８０、第２のギア８１、第３のギア８２、第４のギア８３、トルクリミッタ８４および第５のギア８５を介して第６のギア８６に伝達され、この第６のギア８６は軸８６ａを中心として図９における時計回りの方向に回転する。このことにより、第６のギア８６に取り付けられたシャッター支持部４２も軸８６ａを中心として図９における時計回りの方向に回転し、シャッター４０は図１に示すような閉止位置から図２に示すような開口位置まで移動する。【０１０９】
次に、シャッター４０が開口位置にあるような状態からこのシャッター４０を閉止位置に移動させる場合には、モータからなるシャッター駆動部５０は第１のギア８０を図９における反時計回りの方向に回転させる。このことにより、シャッター駆動部５０による駆動力は第１のギア８０、第２のギア８１、第３のギア８２、第４のギア８３、トルクリミッタ８４および第５のギア８５を介して第６のギア８６に伝達され、この第６のギア８６は軸８６ａを中心として図９における反時計回りの方向に回転する。このことにより、第６のギア８６に取り付けられたシャッター支持部４２も軸８６ａを中心として図９における反時計回りの方向に回転し、シャッター４０は図２に示すような開口位置から図１に示すような閉止位置まで移動する。【０１１０】
また、前述のように、シャッター４０を支持するためのシャッター支持部４２と、シャッター駆動部５０との間には、トルクリミッタ８４が設けられている。このため、シャッター４０を図１に示す閉止位置から操作者が手動により下方に移動させた場合、トルクリミッタ８４において、操作者により与えられる力が予め設定された所定の設定トルクよりも大きくなり、トルクリミッタ８４は第４のギア８３と第５のギア８５との間の連結を解除し、第４のギア８３に対して第５のギア８５を自由に回転させることとなる。このようにして、トルクリミッタ８４が、シャッター駆動部５０からシャッター４０への駆動力を遮断するようになるので、識別計数部２４により紙葉類Ｐの計数を行っている最中でも、操作者は、シャッター４０を図１に示す閉止位置から手動により下方に移動させることができるようになり、集積部２６から紙葉類Ｐを取り出すことができるようになる。【０１１１】
また、シャッター４０が図２に示す開口位置から図１に示す閉止位置に移動する間に、操作者の手等が集積部２６に入っていたとしても、シャッター４０がこのような操作者の手等に接触したときに、トルクリミッタ８４に与えられる力が予め設定された所定の設定トルクよりも大きくなり、トルクリミッタ８４は第４のギア８３と第５のギア８５との間の連結を解除し、第４のギア８３に対して第５のギア８５を自由に回転させることとなる。このようにして、トルクリミッタ８４が、シャッター駆動部５０からシャッター４０への駆動力を遮断するようになるので、シャッター４０が操作者の手等に接触したときにこのシャッター４０は停止するようになり、操作者の指等がシャッター４０により挟まれて怪我をしてしまうというトラブルを防止することができる。
【図１】
2010095235.tif 000003
【図２】
2010095235.tif 000004
【図３】
2010095235.tif 000005
【図４】
2010095235.tif 000006
【図５】
2010095235.tif 000007
【図６】
2010095235.tif 000008
【図７】
2010095235.tif 000009
【図８】
2010095235.tif 000010
【図９】
2010095235.tif 000011
【図１０】
2010095235.tif 000012
【国際調査報告】
2010095235.tif 000013
2010095235.tif 000014
2010095235.tif 000015
2010095235.tif 000016